(57)【要約】【課題】  被訓練眼の状態に合わせて、効果的な訓練を行うことができる眼機能訓練装置を提供する。【解決手段】  被訓練眼に対して画像を表示する画像表示部と、画像表示部を、被訓練眼の光軸方向と輻輳方向との少なくとも一方に往復移動させる移動部と、画像表示部の移動の前に、被訓練眼の屈折力を測定するとともに、画像表示部の移動中に、被訓練眼の屈折力を測定する測定部と、画像表示部の移動の前に測定した屈折力と、画像表示部の移動中に測定した屈折力とを比較し、比較結果に基づいて画像表示部の往復移動を停止させるか否かを判断する判断部と、判断部が、画像表示部の往復移動を停止させると判断すると、画像表示部の往復移動を停止させる制御部とを備える。【選択図】      図１
2005198720.tif 000002
【特許請求の範囲】
【請求項１】
被訓練眼に対して画像を表示する画像表示部と、
前記画像表示部を、前記被訓練眼の光軸方向と輻輳方向との少なくとも一方に往復移動させる移動部と、
前記画像表示部の移動の前に、前記被訓練眼の屈折力を測定するとともに、前記画像表示部の移動中に、前記被訓練眼の屈折力を測定する測定部と、
前記画像表示部の移動の前に測定した前記屈折力と、前記画像表示部の移動中に測定した前記屈折力とを比較し、比較結果に基づいて前記画像表示部の往復移動を停止させるか否かを判断する判断部と、
前記判断部が、前記画像表示部の往復移動を停止させると判断すると、前記画像表示部の往復移動を停止させる制御部と
を備えたことを特徴とする眼機能訓練装置。
【請求項２】
被訓練眼に対して画像を表示する画像表示部と、
前記画像表示部を、前記被訓練眼の光軸方向と輻輳方向との少なくとも一方に往復移動させる移動部と、
前記被訓練眼の屈折力を測定する測定部と、
測定した前記屈折力に基づいて、前記画像表示部の往復移動を停止させるか否かを判断する判断部と、
前記判断部が、前記画像表示部の往復移動を停止させると判断すると、前記画像表示部の往復移動を停止させる制御部と
を備えたことを特徴とする眼機能訓練装置。
【請求項３】
請求項１または請求項２に記載の眼機能訓練装置において、
前記移動部は、所定の周期で前記画像表示部を往復移動させ、
前記測定部は、前記周期に同期した時間間隔で前記屈折力を測定する
ことを特徴とする眼機能訓練装置。
【請求項４】
請求項２に記載の眼機能訓練装置において、
前記判断部は、前記測定部による２回の連続した測定により得られた前記屈折力の各々を比較し、比較結果に基づいて、前記画像表示部の往復移動を停止させるか否かを判断する
ことを特徴とする眼機能訓練装置。
【請求項５】
請求項２に記載の眼機能訓練装置において、
前記判断部は、前記測定部により測定した前記屈折力の前記周期における変化量を求め、前記変化量に基づいて、前記画像表示部の往復移動を停止させるか否かを判断する
ことを特徴とする眼機能訓練装置。
【請求項６】
表示形態が変更可能な絵柄を含む画像を、被訓練眼に対して表示する画像表示部と、
前記画像表示部が表示する前記画像における前記絵柄の表示形態を、所定の周期で変更させる画像変更部と、
前記絵柄の表示形態変更の前に、前記被訓練眼の屈折力を測定するとともに、前記絵柄の表示形態変更中に、前記被訓練眼の屈折力を前記周期に同期した時間間隔で繰り返し測定する測定部と、
前記絵柄の表示形態変更の前に測定した前記屈折力と、前記絵柄の表示形態変更中に測定した前記屈折力とを比較し、比較結果に基づいて前記絵柄の表示形態変更を停止させるか否かを判断する判断部と、
前記判断部が、前記絵柄の表示形態変更を停止させると判断すると、前記絵柄の表示形態変更を停止させる制御部と
を備えたことを特徴とする眼機能訓練装置。
【発明の詳細な説明】
【技術分野】
【０００１】
本発明は、眼機能を訓練するための眼機能訓練装置に関する。
【背景技術】
【０００２】
従来より、被訓練眼の毛様体筋の運動を促すことにより眼機能を訓練するための眼機能訓練装置や眼調節力回復装置が知られている（例えば、特許文献１参照）。このような装置では、所定時間のあいだ被訓練眼に対して視標（被訓練者の視線を集める対象）を提示しつつ、この視標を移動することにより、被訓練眼の毛様体筋の運動を促すことが行われている。
【特許文献１】特開２０００−７０３１７号公報
【発明の開示】
【発明が解決しようとする課題】
【０００３】
しかし、前述した装置では、視標の提示および移動が所定時間のあいだ行われて、訓練が終了する。すなわち、訓練時の被訓練眼の状態などと無関係に、所定時間のあいだ訓練が行われる。そのため、訓練を継続すれば効果が上がる場合に訓練を終了してしまうことや、眼疲労が発生して効果が上がらない場合に訓練を継続してしまうことがあり、訓練を効果的に行うことができなかった。
【０００４】
本発明の目的は、被訓練眼の状態に合わせて、効果的な訓練を行うことができる眼機能訓練装置を提供することである。
【課題を解決するための手段】
【０００５】
請求項１に記載の眼機能訓練装置は、被訓練眼に対して画像を表示する画像表示部と、前記画像表示部を、前記被訓練眼の光軸方向と輻輳方向との少なくとも一方に往復移動させる移動部と、前記画像表示部の移動の前に、前記被訓練眼の屈折力を測定するとともに、前記画像表示部の移動中に、前記被訓練眼の屈折力を測定する測定部と、前記画像表示部の移動の前に測定した前記屈折力と、前記画像表示部の移動中に測定した前記屈折力とを比較し、比較結果に基づいて前記画像表示部の往復移動を停止させるか否かを判断する判断部と、前記判断部が、前記画像表示部の往復移動を停止させると判断すると、前記画像表示部の往復移動を停止させる制御部とを備えたことを特徴とする。
【０００６】
請求項２に記載の眼機能訓練装置は、被訓練眼に対して画像を表示する画像表示部と、前記画像表示部を、前記被訓練眼の光軸方向と輻輳方向との少なくとも一方に往復移動させる移動部と、前記被訓練眼の屈折力を測定する測定部と、測定した前記屈折力に基づいて、前記画像表示部の往復移動を停止させるか否かを判断する判断部と、前記判断部が、前記画像表示部の往復移動を停止させると判断すると、前記画像表示部の往復移動を停止させる制御部とを備えたことを特徴とする。
【０００７】
請求項３に記載の眼機能訓練装置は、請求項１または請求項２に記載の眼機能訓練装置において、前記移動部は、所定の周期で前記画像表示部を往復移動させ、前記測定部は、前記周期に同期した時間間隔で前記屈折力を測定することを特徴とする。
請求項４に記載の眼機能訓練装置は、請求項２に記載の眼機能訓練装置において、前記判断部は、前記測定部による２回の連続した測定により得られた前記屈折力の各々を比較し、比較結果に基づいて、前記画像表示部の往復移動を停止させるか否かを判断することを特徴とする。
【０００８】
請求項５に記載の眼機能訓練装置は、請求項２に記載の眼機能訓練装置において、前記判断部は、前記測定部により測定した前記屈折力の前記周期における変化量を求め、前記変化量に基づいて、前記画像表示部の往復移動を停止させるか否かを判断することを特徴とする。
請求項６に記載の眼機能訓練装置は、表示形態が変更可能な絵柄を含む画像を、被訓練眼に対して表示する画像表示部と、前記画像表示部が表示する前記画像における前記絵柄の表示形態を、所定の周期で変更させる画像変更部と、前記絵柄の表示形態変更の前に、前記被訓練眼の屈折力を測定するとともに、前記絵柄の表示形態変更中に、前記被訓練眼の屈折力を前記周期に同期した時間間隔で繰り返し測定する測定部と、前記絵柄の表示形態変更の前に測定した前記屈折力と、前記絵柄の表示形態変更中に測定した前記屈折力とを比較し、比較結果に基づいて前記絵柄の表示形態変更を停止させるか否かを判断する判断部と、前記判断部が、前記絵柄の表示形態変更を停止させると判断すると、前記絵柄の表示形態変更を停止させる制御部とを備えたことを特徴とする。
【発明の効果】
【０００９】
本発明によれば、訓練中の被訓練眼の状態に合わせて、効果的な訓練を行うことができる。
【発明を実施するための最良の形態】
【００１０】
《第１実施形態》
以下、図面を用いて本発明の第１実施形態について説明する。
眼機能訓練装置１は、図１に示すように、被訓練眼０に対して画像を表示する表示器２、制御部３、ダイクロイックミラー４、被訓練眼０の屈折力を測定する屈折力測定部５、凸レンズ６を備える。制御部３は、ＣＰＵおよびその動作に使用されるメモリを備えた回路などからなる。また、制御部３と屈折力測定部５とは相互に接続される。ダイクロイックミラー４は、可視光を反射し、赤外光を透過する。
【００１１】
また、眼機能訓練装置１は、表示器移動機構７、モータ８を備える。表示器２およびモータ８は、制御部３とそれぞれ接続される。モータ８は、制御部３の指示にしたがって表示器移動機構７を駆動する。表示器移動機構７は、表示器２を図１矢印ａの方向に往復移動させる（詳細は後述する）。
表示器２は、小型液晶ディスプレイなど、被訓練眼０に対して眼機能訓練用の画像などを表示する表示器である。なお、表示器２からの光束は、凸レンズ６において略平行な光束に変換されてからダイクロイックミラー４で反射され、被訓練眼０に入射する。したがって、被訓練者は、凸レンズ６を介して表示器を目視することになるので、表示器２を実際の位置よりも遠方にあるように目視することになる。以下では、表示器２の配置位置などについて説明する際、被訓練眼０から見た表示器２の見かけの配置位置に着目して説明を行う。なお、被訓練眼０と表示器２とを結ぶ光路は、図１に示すように、ダイクロイックミラー４により直角に曲げられているので、表示器２を図１矢印ａの方向に往復移動させることと、表示器２を被訓練眼０の光軸方向に往復移動させることとは等価である。なお、被訓練眼０の光軸は、被訓練眼０の視軸と同じである。
【００１２】
屈折力測定部５は、一般にオートレフと呼ばれ、赤外光を用いた検影法により被訓練眼０の屈折力を測定する。屈折力測定部５は、まず、赤外光を被訓練眼０に対して射出する。屈折力測定部５により射出された赤外光は、ダイクロイックミラー４を透過し、さらに被訓練眼０の水晶体を透過して、眼底で反射する。そして、被訓練眼０の眼底からの反射光は、水晶体を再び透過し、さらにダイクロイックミラー４を透過して屈折力測定部５に入射する。屈折力測定部５は、この反射光をもとに、被訓練眼０の屈折力を測定する。このようにして測定される屈折力は、被訓練眼０の状態（水晶体の厚みなど）に応じて変化する。
【００１３】
なお、被訓練眼０の屈折力は、被訓練眼０が目視可能な距離に換算することができる。例えば、屈折力３．３ディオプター（Ｄｐ）の被訓練眼０が目視可能な距離は、約３０ｃｍである。
なお、屈折力測定部５は、屈折力の測定精度を上げるために、図１に示すように、被訓練眼０の正面に配置される。
【００１４】
眼機能訓練装置１は、以上説明した表示器２、ダイクロイックミラー４、屈折力測定部５、凸レンズ６、表示器移動機構７、モータ８を左右の被訓練眼用にそれぞれ備える。なお、制御部３は、眼機能訓練装置１に一つのみ設けられ、左右の各部（表示器２、屈折力測定部５、モータ８）に接続される。
なお、眼機能訓練装置１は、卓上などに置いて使用する型でも良いし、被訓練者の頭部に装着可能なヘッドマウント型などでも良い。
【００１５】
なお、表示器２、制御部３は、請求項の「画像表示部」に対応し、制御部３、表示器移動機構７、モータ８は、請求項の「移動部」に対応する。また、制御部３、屈折力測定部５は、請求項の「測定部」に対応し、制御部３は、請求項の「判断部」および「制御部」に対応する。
以上説明した構成の眼機能訓練装置１の動作について、図２のフローチャートを用いて説明を行う。なお、以下では、片側（右眼側）についてのみ説明を行う。眼機能訓練装置１は、左眼側についても、同様の動作を行う。
【００１６】
まず、制御部３は、表示器２に眼機能訓練用の画像を表示させる（ステップＳ１）。眼機能訓練用の画像とは、被訓練者が認知しやすく、しかも視線の定まりやすい位置（中心付近）に、視標（被訓練者の視線を集める対象）となる絵柄（例えば、飛行機、自動車など、前後移動可能なものの絵図）を含む画像である。なお、このような画像は、予め制御部３内の不図示のメモリに記録されている。
【００１７】
次に、制御部３は、屈折力測定部５を介して初期屈折力の測定を行う（ステップＳ２）。初期屈折力とは、眼機能訓練を行う前の被訓練眼０の屈折力であり、以下、この初期屈折力を「初期屈折力Ｄ0」と称する。そして、制御部３は、測定した初期屈折力Ｄ0を、制御部３内の不図示のメモリに記録する。なお、初期屈折力Ｄ0は、請求項の「画像表示部の移動の前に測定した屈折力」に対応する。
【００１８】
次に、制御部３は、表示器２の移動を開始させて、眼機能訓練を開始する（ステップＳ３）。制御部３は、モータ８および表示器移動機構７を介して、被訓練眼０の光軸方向への表示器２の移動を開始する。以下では、表示器２の配置位置説明する際に、その位置にある表示器２を目視するのに必要な屈折力に換算して表す。
制御部３は、表示器２を図３にしたがって移動させる。図３中の横軸は時間の経過を示し、縦軸は表示器２の配置位置を示す。縦軸のＤ0は、ステップＳ２で測定した初期屈折力Ｄ0により目視可能な位置Ｄ0を示す。
【００１９】
図３に示すように、制御部３は、表示器２を、位置Ｄ0を中心として、近方と遠方にそれぞれ０．５Ｄｐの範囲を所定の周期（例えば、８秒）で光軸方向に往復移動させる。なお、往復移動の範囲０．５Ｄｐは、被訓練眼０の毛様体筋を無理なく訓練させるのに適した範囲であり、予め定められる。また、所定の周期は、被訓練眼０の毛様体筋を訓練させるのに適した周期であり、前述した範囲に応じて予め定められる。
【００２０】
最も遠い位置（Ｄ0＋０．５Ｄｐ）に表示器２が配置されている場合、被訓練眼０の毛様体筋は弛緩する。また、最も近い位置（Ｄ0−０．５Ｄｐ）に表示器２が配置されている場合、被訓練眼０の毛様体筋は緊張する。したがって、眼機能訓練装置１は、前述した往復移動によって、被訓練眼０の毛様体筋の弛緩と緊張とを繰り返し促して、眼機能訓練を行う。
【００２１】
次に、制御部３は、屈折力測定部５による屈折力の測定を開始させる（ステップＳ４）。屈折力測定部５は、図３中の○印で示すタイミングで屈折力の測定を行う。○印で示すタイミングとは、表示器２が最も遠い位置（Ｄ0＋０．５Ｄｐ）に移動された時である。すなわち、屈折力測定部５は、前述した表示器２の移動の周期に同期した時間間隔（例えば、８秒）で繰り返し屈折力の測定を行う。そして、制御部３は、屈折力を測定するたびに、測定した屈折力を制御部３内の不図示のメモリに記録する。
【００２２】
次に、制御部３は、ステップＳ２で測定した初期屈折力Ｄ0よりも、訓練中に測定した屈折力の方が小さいか否かを判定する（ステップＳ５）。制御部３は、表示器２の移動を停止させるか否かを判断するために、このような判定を行う。なお、制御部３は、前述した判定を、前述した表示器２の移動の周期に同期した時間間隔で行う。すなわち、表示器２の移動と、訓練中の屈折力の測定と、前述したステップＳ５での判定とは、表示器２の移動の周期（またはその周期に同期した周期）で、繰り返し行われる。
【００２３】
測定した屈折力の方が大きい場合（ステップＳ５ＮＯ）、制御部３は、表示器２の移動および屈折力の測定を継続し、測定した屈折力の方が小さくなる（ステップＳ５ＹＥＳ）まで、判定を繰り返す。一般に、被訓練眼０の屈折力は、眼機能が訓練されると、訓練開始前に比べて大きくなる傾向がある。したがって、眼機能訓練開始前の屈折力（初期屈折力Ｄ0）よりも、測定した屈折力の方が大きいあいだは、眼機能訓練の効果が出ていると考えられるので、制御部３は、訓練を継続する。
【００２４】
一方、測定した屈折力の方が小さい場合（ステップＳ５ＹＥＳ）、制御部３は、表示器２の移動を停止させ（ステップＳ６）、屈折力の測定も停止させる（ステップＳ７）。一般に、被訓練眼０の屈折力は、眼機能訓練において眼疲労が発生すると、初期屈折力Ｄ0に比べて小さくなる傾向がある。したがって、初期屈折力Ｄ0よりも、測定した屈折力の方が小さくなった場合は、眼疲労が発生し、眼機能訓練の効果が下がると考えられるので、制御部３は、表示器２の移動を停止させて訓練を終了する。
【００２５】
以上説明したように、第１実施形態によれば、被訓練眼０に対して画像を表示しつつ、表示器２を、被訓練眼０の光軸方向に所定の周期で往復移動させることにより眼機能訓練を行い、被訓練眼０の屈折力を往復移動の周期に同期した時間間隔で繰り返し測定し、表示器２の移動の前に測定した屈折力（初期屈折力Ｄ0）と、訓練中（表示器２の移動中）に測定した屈折力とを比較し、比較結果に基づいて表示器２の往復移動を停止させるか否かを判断して、表示器２の往復移動を停止させる。そのため、眼機能訓練の効果が出ている場合には訓練を継続し、眼疲労が発生している場合には訓練を終了するというように、被訓練眼０の状態に合わせて、効果的な訓練を行うことができる。
【００２６】
なお、第１実施形態では、表示器２を被訓練眼０の光軸方向に移動させることにより、眼機能訓練を行う例を示したが、表示器２を被訓練眼０の輻輳方向に移動させることにより、眼機能訓練を行うようにしても良い。また、光軸方向と輻輳方向との両方に移動させるようにしても良い。なお、光軸方向と輻輳方向との両方に移動させる場合には、それぞれの方向の往復移動を同位相にすると良い。
【００２７】
ここで輻輳方向について説明する。図４（ａ）に示すように、遠くを目視する場合には眼の視軸（被訓練眼０の光軸）ｓは略平行になるが、図４（ｂ）に示すように、近くを目視する場合には両眼がそれぞれ内側に回転し、視軸ｓは平行に比べてお互いに内側に回転する。このような両眼の回転機能は輻輳機能と呼ばれ、両眼の回転量は輻輳角度θで表される。この輻輳機能を刺激することにより、眼機能訓練を行うことができる。そして、この回転方向に準ずる方向が輻輳方向である。輻輳方向は、被訓練眼０の左右方向と同じである。表示器２を輻輳方向にのみ移動させる場合、図４（ａ）に示した矢印ｆの方向（被訓練眼の左右方向）に表示器２を移動させる。なお、図４（ａ）は、ダイクロイックミラー４の図示を省略し、表示器２の見かけの位置を図示したものである。
【００２８】
また、第１実施形態では、ステップＳ５において、初期屈折力Ｄ0と訓練中に測定した屈折力とを比較して表示器２の往復移動を停止させるか否かを判断する例を示したが、初期屈折力Ｄ0とは比較せず、訓練中に屈折力測定部５により繰り返し測定した各々の屈折力に基づいて、表示器２の往復移動を停止させるか否かを判断するようにしても良い。例えば、屈折力測定部５による２回の連続した測定により得られた屈折力を比較し、比較結果に基づいて、表示器２の往復移動を停止させるか否かを判断するようにしても良い。この場合、第１実施形態で説明した初期屈折力Ｄ0の測定は省略して良い。このような比較を行って表示器２の往復移動を停止させるか否かを判断することにより、被訓練眼０の眼疲労が比較的軽いうちに、眼機能訓練を終了することができる。
《第２実施形態》
以下、図面を用いて本発明の第２実施形態について説明する。
【００２９】
第２実施形態の眼機能訓練装置１０は、第１実施形態で説明した眼機能訓練装置１の表示器移動機構７およびモータ８が省略された構成である。したがって、以下では、第２実施形態の眼機能訓練装置１０の図示および構成の説明を省略し、第１実施形態と同様の符号を用いて説明を行う。
第２実施形態の眼機能訓練装置１０は、第１実施形態の眼機能訓練装置１と異なり、表示器２の移動機構を持たない。その代わりに、第２実施形態では、表示器２が表示する眼機能訓練用の画像に含まれる視標の位置を変更させる（詳細は後述する）。眼機能訓練用の画像とは、被訓練者が認知しやすく、しかも視線の定まりやすい位置（中心付近）に、視標となる絵柄（例えば、飛行機、自動車など、前後移動可能なものの絵図）を含み、絵柄は、形と明るさと色との少なくとも一つが特異なものが好ましい。このような画像は、制御部３内の不図示のメモリに予め記録されている。
【００３０】
以上説明した構成の眼機能訓練装置１０の動作について、図５のフローチャートを用いて説明を行う。
まず、制御部３は、表示器２に眼機能訓練用の画像を表示させる（ステップＳ１１）。
次に、制御部３は、表示器２が表示する画像における視標の位置の変更を開始させる（ステップＳ１２）。制御部３は、表示器２が表示する画像を図６にしたがって変更させる。図６中の横軸は時間の経過を示し、縦軸は輻輳角度を示す。以下の説明では、表示器２が表示する画像について説明する際、輻輳角度に着目して説明を行う。例えば、「表示器２に、輻輳角度Ｙの画像を表示させる」とは、「表示器２に、被訓練眼０の輻輳角度がＹになるような画像を表示させる」ことである。
【００３１】
図６において輻輳角度０の際に表示器２が表示する画像は、図７（ａ）に示すように、画像に含まれる視標ｂが画像の略中央に配置されている。
また、図６において輻輳角度最大（θ0）の際に表示器２が表示する画像は、図７（ｂ）に示すように、画像に含まれる視標ｂが画像の中央よりも長さｄだけ内側寄りに配置されている。
【００３２】
そして、制御部３は、表示器２が表示する画像を、図７（ａ）に示す画像から図７（ｂ）に示す画像に連続的に変更させる。このような変更により、表示器２が表示する画像における視標の位置が変更される。なお、画像の変更は、図６に示すように、所定の周期（例えば、８秒）で行われるので、画像における視標の位置の変更も同じ周期で行われる。なお、所定の周期は、眼機能訓練を行うのに適した周期であり、予め定められる。
【００３３】
なお、最大の輻輳角度θ0は、被訓練眼０の輻輳機能を無理なく訓練させるのに適した角度である。このような視標の位置の変更によって、被訓練眼０の輻輳機能が刺激される。そして、眼機能訓練装置１０は、視標の位置の変更を繰り返し行うことにより、輻輳機能を刺激して眼機能訓練を行う。
そして、制御部３は、屈折力測定部５による屈折力の測定を開始させる（ステップＳ１３）。屈折力測定部５は、前述した視標の位置の変更の周期に同期した時間間隔（例えば、８／３２＝０．２秒）で繰り返し屈折力の測定を行う。そして、測定した屈折力を制御部３内の不図示のメモリに記録する。なお、屈折力の測定は、後述する屈折力変化量を求めるために、短い時間間隔で行う。
【００３４】
次に、制御部３は、その周期内に測定した屈折力の最大値と最小値との差を求め屈折力変化量とする。なお、制御部３は、このような屈折力変化量を、前述した視標の位置の変更の周期ごとに求め、制御部３内の不図示のメモリに記録しておく。そして、制御部３は、１つ前の周期における屈折力変化量よりも、現在の周期における屈折力変化量の方が小さいか否かを判定する（ステップＳ１４）。制御部３は、表示器２が表示する画像における視標の位置の変更を停止させるか否かを判断するために、このような判定を行う。
【００３５】
現在の周期における屈折力変化量の方が大きい場合（ステップＳ１４ＮＯ）、制御部３は、表示器２が表示する視標の位置の変更および屈折力の測定を継続させ、現在の周期における屈折力変化量の方が小さくなる（ステップＳ１４ＹＥＳ）まで、判定を繰り返す。一般に、被訓練眼０の屈折力変化量は、眼機能が訓練されると大きくなる傾向がある。したがって、１つ前の周期における屈折力変化量よりも、現在の周期における屈折力変化量の方が大きいあいだは、眼機能訓練の効果が出ていると考えられるので、制御部３は、訓練を継続させる。
【００３６】
一方、現在の周期における屈折力変化量の方が小さい場合（ステップＳ１４ＹＥＳ）、制御部３は、表示器２が表示する画像における視標の位置の変更を停止させ（ステップＳ１５）、屈折力の測定も停止させる（ステップＳ１６）。一般に、被訓練眼０の屈折力変化量は、眼機能訓練において眼疲労が発生すると小さくなる傾向がある。したがって、１つ前の周期における屈折力変化量よりも、現在の周期における屈折力変化量の方が小さくなった場合は、眼疲労が発生し、眼機能訓練の効果が下がると考えられるので、制御部３は、視標の位置の変更を停止させて訓練を終了する。なお、制御部３は、ステップＳ１４で説明した判定を、前述した視標の位置の変更の周期に同期した時間間隔（例えば、８秒）で行う。
【００３７】
以上説明したように、第２実施形態によれば、視標（例えば、形と明るさと色との少なくとも一つが特異な絵柄）を含む画像を、被訓練眼０に対して表示しつつ、表示器２が表示する画像における視標の位置を、所定の周期で変更させることにより眼機能訓練を行い、被訓練眼０の屈折力を前述した周期に同期した時間間隔で繰り返し測定し、その屈折力に基づいて、表示器２が表示する画像における視標の位置の変更を停止させるか否かを判断して、視標の位置の変更を停止させる。そのため、被訓練眼０の状態に合わせて、効果的な訓練を行うことができる。
【００３８】
また、第２実施形態によれば、測定した屈折力に基づいて、前述した周期における屈折力の変化量を求め、変化量に基づいて、表示器２が表示する画像における視標の位置の変更を停止させるか否かを判断して、視標の位置の変更を停止させる。そのため、眼機能訓練の効果が出ている場合には訓練を継続し、眼疲労が発生している場合には訓練を終了するというように、被訓練眼０の状態に合わせて、効果的な訓練を行うことができる。
【００３９】
なお、第２実施形態では、表示器２が表示する画像における視標の位置を変更させることにより、訓練を行う例を示したが、視標の大きさを変更させるようにしても良い。視標の大きさを変更させることにより、表示器２を光軸方向に移動させる場合（第１実施形態参照）と同様の効果を得ることができる。また、視標の位置と大きさとの両方を変更させるようにしても良いし、さらに視標の形や明るさなどを変更させるようにしても良い。
【００４０】
また、第２実施形態では、ステップＳ１４において、１つ前の周期における屈折力変化量と現在の周期における屈折力変化量とを比較する例を示したが、現在の周期における屈折力変化量と眼機能訓練が開始される前に求めた屈折力変化量とを比較するようにしても良い。このような比較を行うことにより、被訓練眼０に、より負荷を掛けた訓練を行うことができる。
【００４１】
また、第２実施形態では、屈折力変化量に基づいて、視標の位置の変更を停止させるか否かを判断する例を示したが、第１実施形態のように、屈折力に基づいて、視標の位置の変更を停止させるか否かを判断するようにしても良い。また、第１実施形態において、屈折力の代わりに屈折力変化量に基づいて、表示器２の往復移動を停止させるか否かを判断するようにしても良い。
【００４２】
なお、第１実施形態および第２実施形態の眼機能訓練装置において、屈折力測定部５と、表示器２との位置を入れ換えるようにしても良い。すなわち、被訓練眼０の正面に表示器２を配置し、図１において表示器２が配置されている位置に屈折力測定部５を配置するようにしても良い。なお、この場合、表示器２にかかわる各部（凸レンズ６、表示器移動機構７、モータ８）も、被訓練眼０の正面に配置する。
【００４３】
また、第１実施形態および第２実施形態の眼機能訓練装置に、タイマー機能を備え、測定した屈折力に基づいて、タイマーにより設定された時間を延長したり短縮したりするようにしても良い。例えば、被訓練者が眼疲労を感じていても、実際には眼機能訓練を行うことにより効果が出る場合には、タイマーにより設定された時間を延長することが好ましい。また、被訓練者が眼疲労を自覚せずに眼機能訓練を行っている場合には、タイマーにより設定された時間を短縮することが好ましい。これにより、被訓練眼０の状態に合わせて、効果的な訓練を行うことができる。
【００４４】
また、第１実施形態および第２実施形態において、何らかの理由（被訓練者が一定時間以上眼を閉じている場合や、被訓練眼０にゴミが入った場合など）で屈折力測定が行うことができない場合には、被訓練者に対して通知を行い、訓練を終了するようにすると良い。
【図面の簡単な説明】
【００４５】
【図１】第１実施形態の眼機能訓練装置１の構成を示すブロック図である。
【図２】第１実施形態の眼機能訓練装置１の動作を示すフローチャートである。
【図３】第１実施形態の眼機能訓練装置１における表示器２の移動について説明する図である。
【図４】輻輳方向について説明する図である。
【図５】第２実施形態の眼機能訓練装置１０の動作を示すフローチャートである。
【図６】第２実施形態の眼機能訓練装置１０における画像の変更について説明する図である。
【図７】第２実施形態の眼機能訓練装置１０における画像の変更について説明する図である。
【符号の説明】
【００４６】
１，１０  眼機能訓練装置
２  表示器
３  制御部
４  ダイクロイックミラー
５  屈折力測定部
６  凸レンズ
７  表示器移動機構
８  モータ
０  被訓練眼
【図１】
2005198720.tif 000003
【図２】
2005198720.tif 000004
【図３】
2005198720.tif 000005
【図４】
2005198720.tif 000006
【図５】
2005198720.tif 000007
【図６】
2005198720.tif 000008
【図７】
2005198720.tif 000009